(57)【要約】      （修正有）【課題】公開知識システムから独立している仮想店舗または仮想店舗システムを自由に参加させるショッピングカート選択投入手段端末を提供する。【解決手段】公開知識システムが公開する公開知識Ｒｅおよび公開知識実施材料Ｍａから商品を抽出する仮想店舗システムにおいて、公開知識実施材料を受け渡させる受渡手段と、仮想店舗システムから商品Ｂｃを受信させ、商品を表示させる受信表示手段Ｃｃと、商品の中から、利用者が商品を選んでショッピングカートに投入するショッピングカート選択投入手段Ｂａと、を備える。【選択図】図１
2018129012.tif 000002
【特許請求の範囲】
【請求項１】
公開知識システムが公開する公開知識および公開知識実施材料の前記公開知識実施材料から商品を抽出する仮想店舗システムに、前記公開知識実施材料を受け渡させる受渡手段と、
前記仮想店舗システムから前記商品を受信させ、前記商品を表示させる受信表示手段と、
前記商品の中から、利用者が前記商品を選んでショッピングカートに投入するショッピングカート選択投入手段と、に用いるショッピングカート選択投入手段端末に、前記受信表示手段または前記ショッピングカート選択投入手段を提供することを特徴とする方法。
【請求項２】
公開知識システムが公開する公開知識および公開知識実施材料の前記公開知識実施材料から商品を抽出する仮想店舗システムに、前記公開知識実施材料を受け渡させる受渡手段と、
前記仮想店舗システムから前記商品を受信させ、前記商品を表示させる受信表示手段と、
前記商品の中から、利用者が前記商品を選んでショッピングカートに投入するショッピングカート選択投入手段と、に用いるショッピングカート選択投入手段端末の前記受信表示手段または前記ショッピングカート選択投入手段として、
コンピュータを機能させるための制御プログラム。
【請求項３】
請求項２に記載のショッピングカート選択投入手段端末に、前記受渡手段を提供することを特徴とする方法。
【請求項４】
請求項２に記載のショッピングカート選択投入手段端末が用いる前記仮想店舗システムによることを特徴とする方法。
【発明の詳細な説明】
【技術分野】
【０００１】
本発明は、公開知識ショッピング利用方法に関する。
【背景技術】
【０００２】
従来、公開知識ショッピング利用システムが知られている。例えば、特開２０１２−０７３７９５号公報の技術は、レシピ登録時の材料をキーワードとする商品の中からお客が商品を選び、お客が購入店舗を選ぶと、該商品が投入されたショッピングカートが生成され、商品を注文したいお客のために、該ショッピングカートをお客の端末に表示する技術が開示されている。
【先行技術文献】
【特許文献】
【０００３】
【特許文献１】特開２０１２−０７３７９５号公報
【発明の概要】
【発明が解決しようとする課題】
【０００４】
ところで、上記従来の公開知識ショッピング利用システムは、公開知識システムから独立している仮想店舗または仮想店舗システムを自由に参加させることができないと言った問題があった。
【０００５】
そこで、本発明の目的は、公開知識システムから独立している仮想店舗または仮想店舗システムを自由に参加させるショッピングカート選択投入手段端末を提供することにある。
【課題を解決するための手段】
【０００６】
上記課題を解決するため本発明のショッピングカート選択投入手段端末は、公開知識システムが公開する公開知識および公開知識実施材料の前記公開知識実施材料から商品を抽出する仮想店舗システムに、前記公開知識実施材料を受け渡させる受渡手段と、前記仮想店舗システムから前記商品を受信させ、前記商品を表示させる受信表示手段と、前記商品の中から、利用者が前記商品を選んでショッピングカートに投入するショッピングカート選択投入手段と、に用いることを特徴とする。
【発明の効果】
【０００７】
本発明によれば、ショッピングカート選択投入手段端末は、公開知識システムと仮想店舗システムの間に直接的な接続関係がないことにより、公開知識システムから独立している仮想店舗または仮想店舗システムを自由に参加させることができる。
【図面の簡単な説明】
【０００８】
【図１】実施形態の公開知識ショッピング利用システムの構成図の一例である。
【発明を実施するための形態】
【０００９】
以下、本発明の一実施の形態について詳細に説明する。
【００１０】
図１は実施形態の公開知識ショッピング利用システムの構成図の一例である。公開知識ショッピング利用システムは、知識Ｒｅを公開する公開サーバ１と、知識Ｒｅの実施に必要な材料Ｍａに該当する商品Ｂｃを抽出するとともに、ショッピングカートを利用した商品Ｂｃの販売手段を提供する仮想店舗サーバ２と、利用者（商品Ｂｃの購入予定者）が利用するクライアント３から構成されることを特徴とする。
【００１１】
知識Ｒｅは、手続き的知識（Procedural Knowledge）などであり、食事のレシピ、趣味娯楽、家事育児、日曜大工のノウハウなどを含み、図示していない動画Flash（登録商標）などのコンテンツを含む。
【００１２】
公開サーバ１、仮想店舗サーバ２、クライアント３などの装置は、インターネット１０に接続され、ＣＰＵ、ＲＯＭ、ＲＡＭ、ＨＤＤ、入出力部（ディスプレイ、タッチパネルなど）、ネットワーク通信部などを備えるコンピュータ部を備える。
【００１３】
次に公開知識ショッピング利用システムの処理について説明する。
クライアント３は、仮想店舗サーバ２から公開サーバ１のレシピ公開ウェブページＣａを指すＵＲＬが設定されたボタンを備えた図示していないＷｅｂページを受信して、該Ｗｅｂページを自己のディスプレイに表示し、該ボタンの押下を検出し、該ＵＲＬを参照外しする。公開サーバ１は、該ＵＲＬの参照外しに応じて、知識Ｒｅ、材料Ｍａ、必要数量ＭｂおよびボタンＢａを備えたレシピ公開ウェブページＣａをクライアント３に応答する。クライアント３は、レシピ公開ウェブページＣａを受信して自己のディスプレイに表示し、ボタンＢａの押下を検出し、ボタンＢａに設定された材料編集ウェブページＣｂを指すＵＲＬを参照外しする。公開サーバ１は、該ＵＲＬの参照外しに応じて、ボタンＢｂ、材料Ｍａおよび必要数量Ｍｂを備え、利用者が材料Ｍａおよび必要数量Ｍｂの編集（削除、変更および追加）を行える材料編集ウェブページＣｂをクライアント３に応答する。
【００１４】
クライアント３は、材料編集ウェブページＣｂを受信して自己のディスプレイに表示し、利用者に該編集を行わせ、ボタンＢｂの押下を検出し、ボタンＢｂに設定された仮想店舗ウェブページＣｃを指すＵＲＬを参照外しし、仮想店舗サーバ２に編集後の材料Ｍａおよび必要数量Ｍｂを取得させる（Flash Cookieなどで情報を受け渡すなど）。仮想店舗サーバ２は、該ＵＲＬの参照外しに応じて、材料Ｍａおよび必要数量Ｍｂを受信し、材料Ｍａに該当する商品Ｂｃを抽出して、商品Ｂｃとその必要数量Ｍｂが設定されたボタンと、抽出した商品Ｂｃ以外の仮想店舗が利用者に奨める商品Ｂｃと、その必要数量Ｍｂが設定されたボタンを備えた仮想店舗ウェブページＣｃをクライアント３に応答する。クライアント３は、仮想店舗ウェブページＣｃを受信して自己のディスプレイに表示し、利用者により選択された任意の商品Ｂｃのボタンの押下を検出し、該ボタンに設定された商品Ｂｃを、仮想店舗サーバ２と関連付けられたCookieなどで構成されるショッピングカートに投入する。該ボタンは、押された回数に応じた投入数量の商品Ｂｃをショッピングカートに投入させる。また、ツールチップなどにより、「投入数量：○○個／必要数量：△△個」などのように表示させる。
【００１５】
上記実施形態において、公開知識ショッピング利用システムは、ボタンＢａの替わりにボタンＢｂをレシピ公開ウェブページＣａに備え、材料編集ウェブページＣｂを利用しない構成としてもよい。また、各ウェブページＣａ〜Ｃｃ（クライアント３上で起動するブラウザを制御する制御プログラムに相当する）を、クライアント３上で起動するアプリケーションソフトがクライアント３のディスプレイに表示する各画面に置き換えてもよい。
【００１６】
以上の説明において、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の装置と同等の作用および効果が得られる。
【００１７】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００１８】
また、インターネット、ＬＡＮ等のネットワークシステムを介して制御プログラムをダウンロードし、インストールして実行するように構成することも可能である。
【符号の説明】
【００１９】
１…公開サーバ，２…仮想店舗サーバ，３…クライアント，１０…インターネット，Ｒｅ…知識，Ｍａ…材料，Ｍｂ…必要数量，Ｂａ：Ｂｂ…ボタン，Ｂｃ…商品，Ｃａ…レシピ公開ウェブページ，Ｃｂ…材料編集ウェブページ，Ｃｃ…仮想店舗ウェブページ
【図１】
2018129012.tif 000003